(57)【特許請求の範囲】
【請求項１】
室内ユニット本体と、
前記室内ユニット背面に延出するように設けられた配管と、
左配管据付時に前記配管を収納する左配管収納部と、
前記左配管収納部に前記配管を収納する場合に障害となる位置に配設され、取り外して前記左配管収納部に収納される前記配管の押さえとする配管押え部材とを備える空気調和機の室内ユニット。
【請求項２】
配管押え部材は、板状であって左配管収納部の壁面に直交するように設けられていることを特徴とする請求項１記載の空気調和機の室内ユニット。
【請求項３】
取り外した配管押さえ部材は、左配管収納部に設けられた固定部材に固定されることで配管を押さえることを特徴とする請求項１乃至２記載の空気調和機の室内ユニット。
【発明の詳細な説明】
【０００１】
【発明の属する技術分野】
この発明は空気調和機の室内ユニットに関するもので、特に左配管据付時に使用する配管押え部材に関するものである。
【０００２】
【従来の技術】
図７及び図８は、例えば実開平２−３４９２１号公報に掲載された従来の空気調和機の室内ユニットを示す斜視図及びその配管押え部材を示す斜視図である。
図７において、２１は室内壁面に据付けられる壁掛板で、上縁２２よりも上方に係止片２３が突出されており、又、下方には係合突起２４が形成されている。室内ユニット本体２５は配管２６を介して室外ユニット本体（図示せず）と接続される。また、２７は本体２５の背面上部に設けられた引掛部で、下部が開口された袋形状となっており、係止片２３に係止される。２８は本体２５の背面下部に一端が回動自在にネジ止めされている配管押え部材で、この配管押え部材２８は配管２６を本体２５の背面下部に設けられた配管収納部２９に収まるように押えておく。
図８は配管押え部材２８の拡大斜視図であり、３０は配管押え部材２８の下部に設けられたコ字形の押え部で、配管２６を本体２５の外側から押える。３１はコ字形の押え部３０の下辺上部に突出形成された突起で、この突起３１は本体２５に形成されている穴（図示せず）に係合する。
【０００３】
このように構成された配管押え部材２８を回動させて、押え部３０の突起３１を本体２５の穴に係合させることによって配管２６は押えられる。
【０００４】
【発明が解決しようとする課題】
このような従来の空気調和機の室内ユニットにおいては、配管押え部材２８が室内ユニット本体２５の付属品として用意されるので、コストが嵩むものであった。また、この配管押え部材２８は、左配管据付時以外の後配管、下配管、及び右配管据付時の場合には全く不要な部品であった。
【０００５】
この発明は、上述のような課題を解決するためになされたもので、その目的とするところは、左配管据付時に、室内ユニット本体から配管押え部材を切り取り、これで配管を押さえることにより、配管押えのために特別に付属品を用意したり、あるいは付属品を紛失したりすることのない空気調和機の室内ユニットを得るものである。
【０００６】
【課題を解決するための手段】
室内ユニット本体と、前記室内ユニット背面に延出するように設けられた配管と、左配管据付時に前記配管を収納する左配管収納部と、前記左配管収納部に前記配管を収納する場合に障害となる位置に配設され、取り外して前記左配管収納部に収納される前記配管の押さえとする配管押え部材とを備える。
したりすることのない空気調和機の室内ユニットを得るものである。
【０００７】
また、配管押え部材は、板状であって左配管収納部の壁面に直交するように設けられている。
したりすることのない空気調和機の室内ユニットを得るものである。
【０００８】
また、取り外した配管押さえ部材は、左配管収納部に設けられた固定部材に固定されることで配管を押さえる。
【０００９】
【発明の実施の形態】
実施の形態１．
図１〜図３はこの発明の実施の形態１である空気調和機の室内ユニットを示すものである。
図において、１は空気調和機の室内ユニット本体、２はこの本体の背面から延出された冷媒配管やドレンパイプ等からなる配管、３は室内ユニット本体５の背面下部に設けられた左配管収納部で、左配管据付時に配管２を収納するものである。４は本体１背面の一側部に設けられた電気品収納部、５はこの電気品収納部近傍の平坦な壁面の一部に切り取り可能に形成された配管押え部材であり、下端部に手指等を引掛けることが可能な略Ｕ字状の切り欠き６を設け、中央上方寄りにはネジ止め用貫通穴７及び回り止め用貫通穴８を互いに隣接して設けている。さらに、配管押え部材５の周囲には、電気品収納部４の平坦な壁面と３個所を連結された肉薄で細幅の接合部９と、この接合部９を除く電気品収納部４との間を切り欠いてなるＬ形またはＵ形のスリット１０とが形成されている。
１１は前記本体１の左配管収納部３の所定部位に一体的に突出成形された固定ボスである。前記左配管収納部３に配管２を収納した状態で、前記配管押え部材５のネジ止め用貫通穴７と固定ボス１１とを合致させた後、固定ネジ１２を固定ボス１１にネジ込むことにより、配管２は左配管収納部３に確実に固定される。１３は前記固定ボス１１に隣接して前記本体１の左配管収納部３の所定部位に一体的に突出成形された回り止めピンであり、前記配管押え部材５の取り付け状態で配管押え部材５の回り止め用貫通穴８と勘合し、配管押え部材の回転を阻止する回り止め機構となる。
【００１０】
このように構成された空気調和機の室内ユニットにおいて、左配管据付を行う時には、まず本体１背面の電気品収納部４近傍の配管押え部材５の略Ｕ字状切り欠き６に手指を引掛けて回転させることにより肉薄の接合部９を切断し、配管押え部材５を取り外す。次に、配管押え部材５の回り止め用貫通穴８を回り止めピン１３に勘合させながら、ネジ止め用貫通穴７と固定ボス１１とを合致させて、固定ネジ１２を固定ボス１１にネジ込むことにより配管押え部材５を固定する。これにより、配管２を左配管収納部３内に収まるように押さえることが可能となる。なお、配管押え部材５は、本体１背面の電気品収納部４近傍の平坦面に設けられているので、不使用時に邪魔にならず、また使用時に切り取っても、背面であるから美観上問題になるようなこともない。
【００１１】
実施の形態２．
以下、この発明の実施の形態２について、図４に基づいて説明する。
図４において、１は空気調和機の室内ユニット本体、２この本体１の背面から延在された配管、３は室内ユニット本体１背面下部に設けられた左配管収納部である。１４は前記本体１背面の左配管収納部３の所定部位（本体背面他側部）壁面に直交するように突出して設けられ、かつ必要時に切り欠き可能に形成された配管押え部材であり、実施の形態１と同様のネジ止め用貫通穴７と回り止め用貫通穴８が設けられている。この配管押え部材１４は、本体１の背面より外方に突出しないように左配管収納部３内に収められている。なお、固定ボス１１と、回り止めピン１３は実施の形態１と同様の構成である。
【００１２】
このように構成された空気調和機の室内ユニットにおいては、左配管据付を行う時に、本体１背面の左配管収納部３の配管押え部材１４が配管２を収納するには障害となるように直交して突出形成されているので、まず切り欠き可能に形成されている配管押え部材１４を切り取って障害を無くしてから、実施の形態１と同様に固定ネジ１２を固定ボス１１にネジ込むことにより配管押え部材１４を固定する。これにより、配管２を左配管収納部３内に収まるように押さえることが可能となる。
左配管据付時以外は配管押え部材１４を必要としないので、左配管収納部３内に収められている配管押え部材１４をわざわざ切り取る必要がない。また配管押え部材１４は本体１の背面より外方に突出しないように左配管収納部３内に収められているので、左配管据付以外の据付時に邪魔になることはない。
【００１３】
実施の形態３．
以下、この発明の実施の形態３について、図５に基づいて説明する。
図５において、１は空気調和機の室内ユニット本体、２この本体１の背面から延在された配管、３は室内ユニット本体１背面下部に設けられた左配管収納部、４は本体１背面の一側部に設けられた電気品収納部、５はこの電気品収納部近傍の壁面の一部に切り取り可能に形成された配管押え部材であり、実施の形態１と同様の略Ｕ字状の切り欠き６、ネジ止め用貫通穴７及び回り止め用貫通穴８が設けられている。１４は前記本体１背面の左配管収納部３の所定部位（本体背面他側部）壁面に直交するように突出して設けられ、かつ必要時に切り欠き可能に形成された配管押え部材であり、実施の形態２と同様のネジ止め用貫通穴７と回り止め用貫通穴８が設けられている。
この実施の形態３では、互いに隣接する固定ボス１１と回り止めピン１３が、本体１背面下部の左配管収納部３に横方向に並んで複数個設けられている。
【００１４】
このように構成された空気調和機の室内ユニットにおいては、左配管据付を行う時に、前記本体１の左配管収納部３に設けられた配管押え部材５または１４を固定する固定ボス１7及び回り止めピン１8を本体１の横方向に複数個設けることにより、配管２の取り出し位置に合わせて固定ボス１１及び回り止めピン１３を選択することが可能となり、より確実な配管押えが可能となる。
【００１５】
実施の形態４．
以下、この発明の実施の形態４について、図６に基づいて説明する。
図６において、空気調和機の室内ユニット本体１背面の一側部に設けられた電気品収納部４には、その近傍の平坦な壁面の一部に切り取り可能に形成される配管押え部材５が上下２個設けられており、そのうちの１個は残しておいて予備のために用いるものである。この配管押え部材５が上下２個所に設けられている以外は実施の形態１と同様の構成である。なお、配管押え部材５は２個所だけでなく、３個所以上であってもよい。
【００１６】
このように構成された空気調和機の室内ユニットにおいては、移設等で何度も据え付けを行う場合、配管押え部材５を紛失しまうことが往々にしてあるが、予備の配管押え部材５が残されているので、移設時の据付にも対応可能である。
【００１７】
【発明の効果】
この発明は、以上説明したように構成されているので、以下に示すような効果を奏する。
【００１８】
左配管据付時でも、配管押えのための特別な付属品を用意する必要がなく、本体の一部を切り欠くことにより配管押え部材として利用できるので、原価低減効果が大きい。
【図面の簡単な説明】
【図１】  この発明の実施の形態１である空気調和機の室内ユニットを示す斜視図である。
【図２】  この発明の配管押え部材を示す要部拡大図である。
【図３】  この発明の配管押え部材の使用状態を示す斜視図である。
【図４】  この発明の実施の形態２である空気調和機の室内ユニットを示す斜視図である。
【図５】  この発明の実施の形態３である空気調和機の室内ユニットを示す斜視図である。
【図６】  この発明の実施の形態４である空気調和機の室内ユニットを示す斜視図である。
【図７】  従来の空気調和機の室内ユニットを示す斜視図である。
【図８】  従来の配管押え部材を示す斜視図である。
【符号の説明】
１    室内ユニット本体
２    配管
３    左配管収納部
４    電気品収納部
５    配管押え部材
６    略Ｕ字状の切欠き
７    ネジ止め用貫通穴
８    回り止め用貫通穴
９    接合部
１０  スリット
１１  固定ボス
１２  固定ネジ
１３  回り止めピン
１４  配管押え部材
【図１】
0004120148.tif 000002
【図２】
0004120148.tif 000003
【図３】
0004120148.tif 000004
【図４】
0004120148.tif 000005
【図５】
0004120148.tif 000006
【図６】
0004120148.tif 000007
【図７】
0004120148.tif 000008
【図８】
0004120148.tif 000009